(57)【特許請求の範囲】
【請求項１】
上端部に路面と同一高さに鉄蓋を嵌合支持する鉄蓋受け枠部が設けられた中空円筒状の上部本体を、地下に設置した底部座台上に支持された中空円筒状の下部本体に対してねじ係合して構成される埋設筐の嵩上げ構造において、
前記鉄蓋受け枠部の鉄蓋嵌合内周面の直径を挟んで対向する位置に鉄蓋受け面より低い所定幅の凹部を形成するとともに、中央部に回動駆動用の係合孔を有するプレート部材をその両端部を前記凹部に嵌合させて載置し、
中央部に開口部を有するガード部材を前記鉄蓋受け面上に載置し、
嵩上げ時など前記上部本体を回動させる際に、ハンドル付き治具のシャフト部を前記ガード部材の開口部に嵌合挿通するとともに、前記ハンドル付き治具の先端部に形成されたドライバー部を前記プレート部材の係合孔に回り止め状態で挿入嵌合し、
前記ハンドル付き治具を地上から回動操作することで前記上部本体の上下位置を調節することを特徴とする埋設筐の嵩上げ構造。
【発明の詳細な説明】
【０００１】
【発明の属する技術分野】
本発明は水道用制水弁等の地下埋設設備を保守点検したり保護したりするための埋設筐の嵩上げ構造に関する。
【０００２】
【従来の技術】
特に、都市あるいはその近郊の地下には、水道、ガスあるいは電気などを供給するための布設管が埋設されている。これらの布設管には、制水弁などの制御弁あるいはコネクターやブレーカー等が適宜接続されており、これらを路面上から操作したり、保守点検をしたり、更にこれらを保護するとともに、設置場所を明示する必要がある。この目的のために、中空構造の埋設筐が地中に埋没状態で設置される。なお、マンホールの場合にも同様の埋設筐を設置することができる。
【０００３】
この種の埋設筐として、通常、制御弁（制水弁等）などの地下設備の近傍に埋め込まれた座台上に支持されて内部に制御弁等にアクセスするための空間を形成する中空円筒状の下部本体と、上端部に鉄蓋を嵌合支持するための受け枠部を有する中空円筒状の上部本体とを備え、該上部本体を前記下部本体に対してねじ係合することにより高さ調節可能（嵩上げ可能）に接続する構成のものが使用されている。
【０００４】
このようなねじ係合式の埋設筐は、上部本体を回動操作するだけで路面に対する受け枠部の高さ位置を容易に調節できることから、埋設施工時における上部本体の上端面（鉄蓋受け枠部）を路面と同一高さに調節したり、あるいは、埋設（設置）後に路面荷重等により埋設筐が沈下した時に上部本体を嵩上げするのに便利なものである。このような構成の埋設筐を開示する公知文献には、例えば特開昭６０−４３５３７号公報がある。なお、上記のねじ係合式の埋設筐では上部本体の回動によって上昇する可能性もあり、その場合には上部本体を路面に対して下降させる必要があるが、本願における『嵩上げ構造』は、便宜上、高さ調節のための構造であることから、このように上部本体を下降（沈下）させるため使用される構造も含むものである。
【０００５】
【発明が解決しようとする課題】
しかしながら、上部本体と下部本体をねじ係合により高さ調節可能に接続する埋設筐の従来例においては、路面を走行する車両等による振動や衝撃によって上部本体が下部本体に対して回動し、上部本体及び鉄蓋の路面に対する高さが変動してしまうことがある。そこで、上部本体と下部本体をねじ係合する埋設筐において振動や衝撃等によって埋設筐の高さが変動した場合に、該埋設筐の路面に対する高さを調節できる嵩上げ構造が提案されており、かかる埋設筐の嵩上げ構造を開示する文献として、例えば特公昭６３−４０８９８号公報を挙げることができる。
【０００６】
しかしながら、従来の埋設筐の嵩上げ構造では、鉄蓋受け枠部の鉄蓋嵌合内周面の直径を挟んで対向する複数位置に治具挿入用の凹穴を形成し、嵩上げ時などで上部本体を回動させる際には前記凹穴にハンドル付き治具の複数の爪部を挿入し、該ハンドルを地上より回動操作するように構成していたので、複数箇所の凹穴に複数の爪部を同時に挿入する必要があり、作業が煩雑であり、挿入した部分の係合（嵌合）が不安定であり、そのため、迅速で正確な嵩上げ作業ができないという解決すべき技術的課題があった。
【０００７】
本発明はこのような技術的課題に鑑みてなされたものであり、本発明の目的は、上部本体と下部本体をねじ係合する構成において振動や衝撃等によって埋設筐の高さが変動した場合でも、簡単な構造で、容易に、しかも迅速かつ確実に埋設筐の路面に対する高さを調節することができる埋設筐の嵩上げ構造を提供することである。
【０００８】
【課題解決のための手段】
本発明は、上記目的を達成するため、上端部に路面と同一高さに鉄蓋を嵌合支持する鉄蓋受け枠部が設けられた中空円筒状の上部本体を、地下に設置した底部座台上に支持された中空円筒状の下部本体に対してねじ係合して構成される埋設筐の嵩上げ構造において、前記鉄蓋受け枠部の鉄蓋嵌合内周面の直径を挟んで対向する位置に鉄蓋受け面より低い所定幅の凹部を形成するとともに、中央部に回動駆動用の係合孔を有するプレート部材をその両端部を前記凹部に嵌合させて載置し、中央部に開口部を有するガード部材を前記鉄蓋受け面上に載置し、嵩上げ時など前記上部本体を回動させる際に、ハンドル付き治具のシャフト部を前記ガード部材の開口部に嵌合挿通するとともに、前記ハンドル付き治具の先端部に形成されたドライバー部を前記プレート部材の係合孔に回り止め状態で挿入嵌合し、前記ハンドル付き治具を地上から回動操作することで前記上部本体の上下位置を調節することを特徴とする。
【００１０】
【発明の実施の形態】
以下、図面を参照して本発明の実施の形態を具体的に説明する。図１は本発明を適用した嵩上げ構造を有する埋設筐の鉄蓋を閉じた状態を示す模式的縦断面図であり、図２は図１の埋設筐を線２−２から見た模式的平面図であり、図３は本発明を適用した埋設筐の嵩上げ構造において嵩上げ作業をしている状態を示す模式的縦断面図である。図１〜図３において、水道、ガスあるいは電気などの布設管１０の途中に設けられる制御弁（制水弁、仕切り弁等）などの埋設機器１１の近傍上部にはコンクリート又はレンガ等で作られた座台１２が埋め込まれており、この座台１２上に中空円筒状の下部本体１３が支持されている。図示の例では、前記下部本体１３は、その外周面の中間高さ部分に形成されたフランジ部２１を前記座台１２にボルト等で固定することにより、地中に設置されている。
【００１１】
前記下部本体１３には中空状の上部本体１６がねじ係合により接続されている。すなわち、前記上部本体１６の下端から所定高さの範囲に外ねじ１７が形成されており、前記下部本体１３の内周面には内ねじ１５が形成されており、該上部本体１６は該外ねじ１７を前記内ねじ１５に螺合させることにより前記下部本体１３に対して高さ調節可能（上下位置調節可能）に結合されている。前記下部本体１３及び前記上部本体１６によって埋設筐が構成され、該埋設筐の下部は前記制水弁１１などの機器を収納する空間１４を形成している。
【００１２】
前記上部本体１６の上端は路面１８と略同一高さにされており、その上端部に鉄蓋受け枠部１９が形成されている。この鉄蓋受け枠部１９には、路面１８と略同一高さとなるようにして鉄蓋２０が開閉（着脱）可能な状態で嵌合支持されている。こうして、本発明の適用対象である埋設筐、すなわち上端部に路面１８と同一高さに鉄蓋２０を嵌合支持する鉄蓋受け枠部１９が設けられた中空円筒状の上部本体１６を、地下に設置した底部座台１２上に支持された中空円筒状の下部本体１３に対してねじ係合するようにした埋設筐が構成されている。
【００１３】
つまり、図１〜図３に示すように、上端部に路面１８と略同一高さに鉄蓋２０を嵌合支持する鉄蓋受け枠部１９が設けられた中空円筒状の上部本体１６の外周面に外ねじ１７を形成し、地下に設置される中空円筒状の下部本体１３の内周面に内ねじ１５を形成し、前記外ねじ１７を前記内ねじ１５にねじ係合するとともに、前記上部本体１６を回動させることにより該上部本体の高さを調節するようにした埋設筐が構成されている。なお、前記上部本体１６及び下部本体１３は、少なくともねじ係合部１５、１７の範囲では円筒状をしているが、前記鉄蓋受け枠部１９などそれ以外の部分では、円筒状に限定されずに長方形や多角形など種々の他の断面形状にしてもよい。
【００１４】
図１〜図３において、図示のように上下位置調節可能にねじ係合された下部本体１３と上部本体１６とで構成された埋設筐において、前記鉄蓋２０は、該鉄蓋の内面と埋設筐の内部（図示の例では上部本体１６の内部）との間に設けられた連結部材３３を有する鉄蓋連結構造（蝶番機構）３０を介して開閉可能に連結されている。また、前記鉄蓋２０の前記鉄蓋連結構造３０と相対向する位置（直径方向反対側の位置）には、治具係合孔４１が形成されている。この治具係合孔４１は、前記鉄蓋２０を開閉する際に開閉治具（不図示）の先端部を挿通係合させ、該鉄蓋を持ち上げて路面上へ回動させることで開放するとともに開放した該鉄蓋を元の状態に閉じるためのものである。このような構造により、鉄蓋受け枠部１９に嵌合支持される鉄蓋２０を連結部材３３で開閉可能に連結する埋設筐が構成されている。
【００１５】
本発明を適用した埋設筐の嵩上げ構造においては、図１及び図３に示すように、鉄蓋受け枠部１９の鉄蓋嵌合内周面４２の直径を挟んで対向する位置（２箇所）に鉄蓋受け面４３より所定高さＨだけ低い凹部４４が所定幅Ｗにわたって形成されている。そして、嵩上げ時など上部本体１６を回動させる際には、前述の相対向する凹部４４、４４に橋渡した状態で係合可能な長さを有するプレート部材４６の両端部をこれらの凹部に嵌合させて載置し、このプレート部材４６の中間部（通常中央部）に形成された角形（図示の例では四角形）の回動駆動用の係合孔４５にハンドル付き治具４７のドライバー部（回動駆動部）４８を回り止め状態で挿入嵌合し、該ハンドル付き治具４７を地上から回動操作することで前記上部本体１６の上下位置を調節するように構成されている。
【００１６】
さらに、本発明による嵩上げ構造においては、前記ハンドル付き治具４７の使用時における振れを軽減（又は防止）するためのガード部材５０が使用される。このガード部材５０は、嵩上げ時に、上部本体１６の前記鉄蓋受け面４３上に載置されるものである。そして、該ガード部材５０の中間部（通常中央部）には、前記ハンドル付き治具４７のドライバー部４８を前記プレート部材４６の係合孔４５に係合させる際（嵩上げする際）に、該ハンドル付き治具４７のシャフト部４９が挿通嵌合される開口部５１が形成されている。つまり、嵩上げ作業時に、前記ハンドル付き治具４７を、プレート部材４６に係合される下端部のドライバー部４８とガード部材５０に嵌合されるシャフト部の中間部との２点（上下方向に離隔した２点）で位置規制（支持）することにより、該ハンドル付き治具４７の使用時における振れを軽減するように構成されている。
【００１７】
図４は図３中の上部本体１６のみを示す模式的縦断面図であり、図５は図３中の上部本体１６のみを示す模式的平面図であり、図６は前記プレート部材４６の平面図であり、図７は図６中の線７−７から見た端面図であり、図８は前記ガード部材５０の平面図であり、図９は図８中の線９−９から見た側面図であり、図１０は前記ハンドル付き治具４７の分解側面図である。図４及び図５において、上部本体１６の鉄蓋嵌合内周面４２の直径方向に相対向する位置（２箇所）に鉄蓋受け面４３より低い凹部４４が所定幅にわたって形成されており、嵩上げ時など上部本体１６を回動させる際には、図６及び図７に示すようなプレート部材４６の両端部５２、５２を前記凹部４４、４４に嵌合させて橋渡し状態にし、このプレート部材４６の中央部に形成された四角形の係合孔４５にハンドル付き治具４７のドライバー部４８、すなわち係合孔４５の断面形状に対応する断面形状を有する回動駆動部４８を挿入嵌合し、該ハンドル付き治具４７を地上から回動操作することで前記上部本体１６を回動させて上下位置を調節する。
【００１８】
前記ハンドル付き治具４７は、図１０に示すように、シャフト部４９とハンドル部５３との２部品で構成され、該ハンドル部５３の中央部に形成された係合孔（四角孔）５４をシャフト部４９の上端に形成された係合凸部（四角断面の凸部）５５に嵌合させることによりワンタッチで着脱可能に組み立てることができる。さらに、前記ガード部材５０は、図８及び図９に示すように円形の平板状部材で形成され、その外径は前記上部本体１６の鉄蓋受け面４３の外径に対応する（若干小さい）寸法を有し、中央部には前記ハンドル付き治具４７のシャフト部４９が嵌合挿通される開口部５１が形成されている。このガード部材５０は、嵩上げ時に該鉄蓋受け面４３上に載置して使用される。嵩上げ時には、前記ハンドル付き治具４７のシャフト部４９を前記ガード部材５０の開口部５１に挿通嵌合するとともに、該シャフト部４９の下端（先端）のドライバー部４８を前記プレート部材４６の係合孔４５に係合させる。
【００１９】
この状態で、ユーザーが地上からハンドル付き治具４７を回動操作することにより、前記プレート部材４６を介して上部本体１６を回動させることができる。図１１は、ハンドル付き治具４７を使用して上部本体１６を回動させることにより下部本体１３に対して該上部本体１６を上昇させた状態を示す模式的縦断面図である。すなわち、前記上部本体１６は地中に固定された下部本体１３とねじ係合しているので、一方向へ回動させることにより地面に対して上昇（嵩上げ）することができ、反対方向へ回動させることにより地面に対して下降させることができる。その際、ハンドル付き治具４７は、プレート部材４６とガード部材５０とに上下方向２箇所で嵌合係合しているので、上下方向２箇所で位置規制することができ、従って、ハンドル付き治具４７を回動駆動する際（使用する際）の振れ（倒れ）等を防止又は軽減することができ、埋設筐の構造や嵩上げ時の環境条件の如何を問わず、常に、埋設筐の嵩上げ作業を容易に、しかも迅速かつ確実に行うことが可能になる。
【００２０】
以上説明した実施例によれば、上端部に路面１８と同一高さに鉄蓋２０を嵌合支持する鉄蓋受け枠部１９が設けられた中空円筒状の上部本体１６を、地下に設置した底部座台１２上に支持された中空円筒状の下部本体１３に対してねじ係合して構成される埋設筐の嵩上げ構造において、前記鉄蓋受け枠部１９の鉄蓋嵌合内周面４２の直径を挟んで対向する位置に鉄蓋受け面４３より低い所定幅の凹部４４を形成するとともに、中央部に回動駆動用の係合孔４５を有するプレート部材４６をその両端部５２を前記凹部４４に嵌合させて載置し、中央部に開口部５１を有するガード部材５０を前記鉄蓋受け面４３上に載置し、嵩上げ時など前記上部本体１６を回動させる際に、ハンドル付き治具４７のシャフト部４９を前記ガード部材５０の開口部５１に嵌合挿通するとともに、前記ハンドル付き治具４７の先端部に形成されたドライバー部４８を前記プレート部材４６の係合孔４５に回り止め状態で挿入嵌合し、前記ハンドル付き治具４７を地上から回動操作することで前記上部本体１６の上下位置を調節する構成としたので、上部本体１６と下部本体１３をねじ係合する構成において振動や衝撃等によって埋設筐の高さが変動した場合でも、簡単な構造で、容易に、しかも迅速かつ確実に埋設筐の路面１８に対する高さを調節することができる埋設筐の嵩上げ構造が提供される。
【００２２】
【発明の効果】
以上の説明から明らかなごとく、本発明によれば、上端部に路面と同一高さに鉄蓋を嵌合支持する鉄蓋受け枠部が設けられた中空円筒状の上部本体を、地下に設置した底部座台上に支持された中空円筒状の下部本体に対してねじ係合して構成される埋設筐の嵩上げ構造において、前記鉄蓋受け枠部の鉄蓋嵌合内周面の直径を挟んで対向する位置に鉄蓋受け面より低い所定幅の凹部を形成するとともに、中央部に回動駆動用の係合孔を有するプレート部材をその両端部を前記凹部に嵌合させて載置し、中央部に開口部を有するガード部材を前記鉄蓋受け面上に載置し、嵩上げ時など前記上部本体を回動させる際に、ハンドル付き治具のシャフト部を前記ガード部材の開口部に嵌合挿通するとともに、前記ハンドル付き治具の先端部に形成されたドライバー部を前記プレート部材の係合孔に回り止め状態で挿入嵌合し、前記ハンドル付き治具を地上から回動操作することで前記上部本体の上下位置を調節する構成としたので、上部本体と下部本体をねじ係合する構成において振動や衝撃等によって埋設筐の高さが変動した場合でも、簡単な構造で、容易に、しかも迅速かつ確実に埋設筐の路面に対する高さを調節することができる埋設筐の嵩上げ構造が提供される。
【図面の簡単な説明】
【図１】本発明を適用した嵩上げ構造を有する埋設筐の鉄蓋を閉じた状態を示す模式的縦断面図である。
【図２】図１の埋設筐を線２−２から見た模式的平面図である。
【図３】本発明を適用した埋設筐の嵩上げ構造において嵩上げ作業をしている状態を示す模式的縦断面図である。
【図４】図３中の上部本体のみを示す模式的縦断面図である。
【図５】図３中の上部本体のみを示す模式的平面図である。
【図６】図３中のプレート部材の平面図である。
【図７】図６中の線７−７から見た端面図である。
【図８】図３中のガード部材の平面図である。
【図９】図８中の線９−９から見た側面図である。
【図１０】図３中のハンドル付き治具の分解側面図である。
【図１１】ハンドル付き治具を使用して上部本体を上昇させた状態を示す模式的縦断面図である。
【符号の説明】
１１      埋設機器
１２      座台
１３      下部本体
１４      機器収納空間
１５      内ねじ
１６      上部本体
１７      外ねじ
１８      路面
１９      鉄蓋受け枠部
２０      鉄蓋
３０      鉄蓋連結構造
３３      連結部材
４１      治具係合孔
４２      鉄蓋嵌合内周面
４３      鉄蓋受け面
４４      凹部
４５      係合孔
４６      プレート部材
４７      ハンドル付き治具
４８      ドライバー部
４９      シャフト部
５０      ガード部材
５１      開口部
５２      両端部（プレート部材）
【図１】
0003685979.tif 000002
【図２】
0003685979.tif 000003
【図３】
0003685979.tif 000004
【図４】
0003685979.tif 000005
【図５】
0003685979.tif 000006
【図６】
0003685979.tif 000007
【図７】
0003685979.tif 000008
【図８】
0003685979.tif 000009
【図９】
0003685979.tif 000010
【図１０】
0003685979.tif 000011
【図１１】
0003685979.tif 000012